(57)【要約】【課題】音声データ伝送システムにおいて、ネットワーク負荷を低減し、操作性や保守管理性の向上を図ること。【解決手段】親局は、主放送に係る音声の入力を受け付ける音声入力部と、音声入力部から入力された音声を主放送に係る音声データとしてエンコードするエンコーダと、子局とデータの送受信を行うネットワーク変換部と、主放送に係る音声データと予備放送に係る音声データとの、いずれを再生すべきかを示す動作シーケンス及び主放送に係る音声データを、送信させる中央処理部と、を備え、子局は、音声を出力する出力部と、音声データをデコードするデコーダと、親局とデータの送受信を行うネットワーク変換部と、予備放送に係る音声データを記憶する音声メモリと、ネットワーク変換部によって受信された動作シーケンスの内容に従い、再生すべき音声データを選択して出力させる中央処理部と、を備える。【選択図】図１
2009267913.tif 000002
【特許請求の範囲】
【請求項１】
親局及び複数の子局を含む音声データ伝送システムであって、
前記親局は、
主放送に係る音声の入力を受け付ける音声入力部と、
前記音声入力部から入力された音声をエンコードし、主放送に係る音声データを生成するエンコーダと、
前記子局とデータの送受信を行うネットワーク変換部と、
親局から送信された主放送に係る音声データと、子局において記憶されている予備放送に係る音声データとの、いずれを再生すべきかを示す動作シーケンスと、主放送に係る音声データとを、前記ネットワーク変換部に送信させる中央処理部と、を備え、
前記子局は、
音声を出力する出力部と、
音声データをデコードするデコーダと、
前記親局とデータの送受信を行うネットワーク変換部と、
前記予備放送に係る音声データを記憶する音声メモリと、
前記ネットワーク変換部によって受信された前記動作シーケンスの内容に従い、再生すべき音声データを選択して、前記デコーダにデコードさせ、前記出力部に出力させる中央処理部と、を備える
音声データ伝送システム。
【請求項２】
前記親局は、前記エンコーダによってエンコードされた前記主放送に係る音声データを、一時的に記憶する音声メモリをさらに備え、
前記親局の中央処理部は、前記各子局から、前記予備放送に係る音声データの再生が完了した旨の通知を受信した後に、当該予備放送に係る音声データの後に再生されるべき前記主放送に係る音声データを前記音声メモリから読み出し、前記ネットワーク変換部に送信させ、
前記子局の中央処理部は、前記予備放送に係る音声データの再生が完了すると、その旨の通知を前記ネットワーク変換部に送信させる
請求項１に記載の音声データ伝送システム。
【請求項３】
前記子局の音声メモリは、前記ネットワーク変換部によって受信された前記主放送に係る音声データを一時的に記憶し、
前記中央処理部は、前記予備放送に係る音声データの再生が完了した後に、前記動作シーケンスに従って、再生すべき前記主放送に係る音声データを前記音声メモリから読み出し、前記デコーダにデコードさせ、前記出力部に出力させる
請求項１に記載の音声データ伝送システム。
【請求項４】
前記子局は、
前記出力部によって出力された音声の入力を受け付けるモニタ音声入力部と、
前記モニタ音声入力部から入力された音声をエンコードし、モニタ音声データを生成するエンコーダと、をさらに備え、
前記親局は、
音声を出力する出力部と、
前記モニタ音声データをデコードするデコーダと、をさらに備え、
前記子局の中央処理部は、前記モニタ音声データを、前記ネットワーク変換部に送信させ、
前記親局の中央処理部は、前記ネットワーク変換部によって受信された前記モニタ音声データを、前記親局のデコーダにデコードさせ、前記親局の出力部に出力させる
請求項１に記載の音声データ伝送システム。
【発明の詳細な説明】
【技術分野】
【０００１】
本発明は、音声データ伝送システムに関する。
【背景技術】
【０００２】
近年、ＩＰ(Internet Protocol)技術の普及に伴い、放送システムのシステム構成においても、主幹線が通信ネットワーク化されてきている。これにより、音声メモリ再生装置をＩＰ遠隔制御する方式の放送システムや、音声データ伝送方式の放送システムが開発され、普及している。このような幹線が通信ネットワーク化された放送システムは、機能拡張時の対応性において優れているために、機能拡張作業や保守管理業務に便利である。
【０００３】
ところで、通信ネットワークの帯域は有限であるため、放送システムの設計者は様々な配慮をする必要がある。例えば、設計者は、通信ネットワーク化された放送システムを設計するに際して、要求される諸機能を満足させつつ、通信ネットワークの負荷（即ち伝送データの情報量）をできるだけ低減化するように配慮しなければならない。
【０００４】
そこで、子局装置が、自身の音声メモリに音片データを記憶し、親局装置からの制御信号に基づいて、音片データの組み合わせを作成しこれを再生する音声データ放送方式が提案されている。
【０００５】
例えば、特許文献１には、親局装置と子局装置との間の通信データを、通常の運用時においては制御データのみとし、音声データの通信を行わないことにより、通信ネットワークの負荷低減化を図る技術が提案されている。また、特許文献１に提案された技術には、音声ＩＰ化処理が不要であることや、データ処理の逐次性があまり要求されないために、比較的に低処理能力の装置で放送システムを構成できるという利点もある。
【特許文献１】特開２００５−３１６６９１号公報
【発明の開示】
【発明が解決しようとする課題】
【０００６】
しかしながら、上述した従来の音声データ伝送システムにあっては、放送内容を変更する場合において、システム管理者は、複数の子局の各々が記憶している音片データを変更する必要があった。さらに、システム管理者は、親局が保持している全子局分の音片データの再生シーケンス情報の変更を行う必要もあった。そのため、特に、子局数が多い場合においては、子局毎の放送内容の変更操作が複雑になり、緊急対応性に欠けてしまうという問題があった。また、変更が随時繰り返される局面では、追随が困難になるといった問題点があった。
【０００７】
本発明は、上記の問題点に鑑みてなされたものであって、子局毎に内容の異なる放送を行う場合であっても通信ネットワークの負荷低減を可能にすると共に、操作性や保守管理性にも優れた音声データ伝送システムを提供することを目的としている。
【課題を解決するための手段】
【０００８】
本発明の一態様は、親局及び複数の子局を含む音声データ伝送システムである。親局は、主放送に係る音声の入力を受け付ける音声入力部と、音声入力部から入力された音声をエンコードし、主放送に係る音声データを生成するエンコーダと、子局とデータの送受信を行うネットワーク変換部と、親局から送信された主放送に係る音声データと、子局において記憶されている予備放送に係る音声データとの、いずれを再生すべきかを示す動作シーケンスと、主放送に係る音声データとを、前記ネットワーク変換部に送信させる中央処理部と、を備える。また、子局は、音声を出力する出力部と、音声データをデコードするデコーダと、親局とデータの送受信を行うネットワーク変換部と、予備放送に係る音声データを記憶する音声メモリと、ネットワーク変換部によって受信された動作シーケンスの内容に従い、再生すべき音声データを選択して、デコーダにデコードさせ、出力部に出力させる中央処理部と、を備える。
【０００９】
このように構成された本発明の一態様によれば、予備放送に係る音声データは、各子局の音声メモリに予め個別に記憶されている。そのため、子局において再生される際に、音声データは親局と子局との間を繋ぐ通信ネットワークを通らない。従って、子局毎に内容の異なる放送（予備放送）を行う場合の通信ネットワークの負荷低減が可能となる。
【００１０】
本発明の一態様において、親局は、エンコーダによってエンコードされた主放送に係る音声データを、一時的に記憶する音声メモリをさらに備えるように構成されても良い。この場合、親局の中央処理部は、各子局から、予備放送に係る音声データの再生が完了した旨の通知を受信した後に、当該予備放送に係る音声データの後に再生されるべき主放送に係る音声データを音声メモリから読み出し、ネットワーク変換部に送信させる。また、この場合、子局の中央処理部は、予備放送に係る音声データの再生が完了すると、その旨の通知をネットワーク変換部に送信させる。
【００１１】
本発明の一態様において、子局の音声メモリは、ネットワーク変換部によって受信された主放送に係る音声データを一時的に記憶するように構成されても良い。この場合、子局の中央処理部は、予備放送に係る音声データの再生が完了した後に、動作シーケンスに従って、再生すべき主放送に係る音声データを音声メモリから読み出し、デコーダにデコードさせ、出力部に出力させる。
【００１２】
本発明の一態様において、子局は、出力部によって出力された音声の入力を受け付けるモニタ音声入力部と、モニタ音声入力部から入力された音声をエンコードし、モニタ音声データを生成するエンコーダと、をさらに備えるように構成されても良い。この場合、親局は、音声を出力する出力部と、モニタ音声データをデコードするデコーダと、をさらに備える。また、子局の中央処理部は、モニタ音声データを、ネットワーク変換部に送信させる。また親局の中央処理部は、ネットワーク変換部によって受信されたモニタ音声データを、親局のデコーダにデコードさせ、親局の出力部に出力させる。
【発明の効果】
【００１３】
本発明により、子局毎に内容の異なる放送を行う場合であっても通信ネットワークの負荷低減を可能にすると共に、操作性や保守管理性にも優れた音声データ伝送システムを提供することが可能となる。
【発明を実施するための最良の形態】
【００１４】
以下、親局の音声入力または親局の音声メモリの再生によって親局から子局へ放送されるものを主放送と呼ぶ。また、子局側の音声メモリに予め保持された音声データの再生によって子局側で放送されるものを予備放送と呼ぶ。また、放送内容の主要事項が含まれる部分を主放送音声と呼ぶ。また、放送開始鈴、放送終了鈴、ＢＧＭ等、放送内容の主要事項の前後に付加される部分（放送）、若しくは、地域名などの子局固有の語句や文章を含む部分を予備放送音声と呼ぶ。
【００１５】
〔第一実施形態〕
図１は、本発明の第一実施形態に係る音声データ伝送システムの全体構成を示す構成図である。図１において、音声データ伝送システム１ａは、親局１１ａと、複数の子局２１ａと、音声ＩＰ化装置と、親局１１ａと複数の子局２１ａの各々との間を通信可能に接続する通信ネットワーク１０と、を備えて構成される。
【００１６】
親局１１ａは、音声ＩＰ化装置１１１ａと、放送用音声を外部から入力するための音声入力端子１１２と、放送制御情報を伝達するための操作器１１３と、を備える。音声ＩＰ化装置１１１ａは、エンコーダ１１１１、音声メモリ１１１２、放送パターンメモリ１１１３、中央処理部１１１４、及びネットワーク変換部１１１５を備える。エンコーダ１１１１は、音声入力端子１１２から入力した音声信号をＡＤ変換し、さらに音声圧縮処理する。音声メモリ１１１２は、頻繁に使用する主放送音声の音声データを予め保持する。放送パターンメモリ１１１３は、放送時の動作シーケンス情報を予め保持している。中央処理部１１１４は、音声ＩＰ化装置１１１ａの各構成要素を統一的に制御すると共に音声データや制御データの入出力処理を行う。ネットワーク変換部１１１５は、通信ネットワーク接続するための処理を行う。
【００１７】
複数の子局２１ａの各々は、音声ＩＰ化装置２１１ａと、音声信号を拡声音声出力部に出力するための音声出力端子２１２を備える。音声ＩＰ化装置２１１ａは、ネットワーク変換部２１１１、中央処理部２１１２、音声メモリ２１１３、及びデコーダ２１１４を備える。ネットワーク変換部２１１１は、通信ネットワーク接続するための処理を行う。中央処理部２１１２は、音声ＩＰ化装置２１１ａの各構成要素を統一的に制御すると共に音声データや制御データの入出力処理を行う。音声メモリ２１１３は、頻繁に使用する予備放送音声の音声データを予め保持する。デコーダ２１１４は、親局１１ａの音声ＩＰ化装置１１１ａから送られた音声データの音声伸張処理及びＤＡ変換を行う。
通信ネットワーク１０は、インターネット網を含む任意の通信回線網であってよい。
親局１１ａの音声メモリ１１１２、及び子局２１ａの音声メモリ２１１３は、いずれも固定または着脱可能な半導体メモリであってもよいし、磁気テープ、磁気ディスク、光ディスク等の記憶媒体であってもよい。
【００１８】
親局１１ａの音声ＩＰ化装置１１１ａでは、中央処理部１１１４が、外部に設置された操作器１１３の出力する接点信号等の制御信号を受信する。中央処理部１１１４は、放送パターンメモリ１１１３に保持されている放送パターンデータ（図２参照）から、この制御信号に対応する動作シーケンスを読み込む。そして、中央処理部１１１４は、この動作シーケンスに従って、放送制御データ（図３参照）を作成する。また、中央処理部１１１４は、放送制御データを、全ての子局２１ａの音声ＩＰ化装置２１１ａに送信する。親局１１ａは、放送制御データの送信によって、複数の子局２１ａの各々に対して、放送開始／終了、放送対象の子局２１ａの選択、及び音源の選択等の遠隔制御を行う。
【００１９】
一方、子局２１ａの音声ＩＰ化装置２１１ａでは、中央処理部２１１２が、親局１１ａの音声ＩＰ化装置１１１ａから出力された放送制御データを受信する。そして、中央処理部２１１２は、その内容に従って、放送開始／終了、及び出力する音源選択等の動作を行う。
【００２０】
図２は、親局１１ａの動作シーケンスを定める放送パターンデータの構成例を示す図である。図２に例示される放送パターンデータは、制御対象子局ＩＰアドレス情報、放送開始停止情報、音源選択情報、再生ファイル指定情報を含む。制御対象子局ＩＰアドレス情報は、放送開始を行う子局２１ａの音声ＩＰ化装置２１１ａのＩＰアドレス情報を示す。放送開始停止情報は、放送の開始／停止を指定する。音源選択情報は、再生ファイル毎に音源（親局１１ａまたは子局２１ａ）を指定する。再生ファイル指定情報は、子局２１ａの音声メモリ２１１３における再生時に使用される再生ファイルを指定する。ただし、制御対象子局ＩＰアドレス情報は、いわゆるＩＰヘッダ内の情報ではなく、本システムのアプリケーション情報としてのデータである。親局１１ａの音声ＩＰ化装置１１１ａの動作シーケンスは、この放送パターンデータ（即ち動作シーケンス情報）に従う。
【００２１】
図３は、子局２１ａの動作シーケンスを定める放送制御データの構成例を示す図である。放送制御データは、制御対象子局ＩＰアドレス情報、放送開始停止情報、音源選択情報、再生ファイル指定情報を含む。
【００２２】
制御対象子局ＩＰアドレス情報は、放送開始を行う子局２１ａの音声ＩＰ化装置２１１ａのＩＰアドレス情報を示す。放送開始停止情報は、放送の開始／停止を指定する。音源選択情報は、再生ファイル毎に音源（親局または子局）を指定する。再生ファイル指定情報は、子局２１ａの音声メモリ２１１３に保持（または装填）された予備放送音声の音声データの再生ファイルを指定する。ただし、制御対象子局ＩＰアドレス情報は、いわゆるＩＰヘッダ内の情報ではなく、本システムのアプリケーション情報としてのデータである。子局２１ａの音声ＩＰ化装置２１１ａの動作シーケンスは、この放送パターンデータ（即ち動作シーケンス情報）に従う。
【００２３】
図４は、第一実施形態に係る音声データ伝送システムの動作シーケンスを示すシーケンスチャート図である。以下、図１〜４を参照して、本実施形態の音声データ伝送システムの動作シーケンスについて説明する。
まず、操作器１１３は、システム管理者によってなされる放送開始操作に従って、親局１１ａの音声ＩＰ化装置１１１ａに信号を伝達する（ステップＳ１）。親局１１ａの音声ＩＰ化装置１１１ａは、この信号を受けて、放送パターンメモリ１１１３から放送開始に割り当てられた動作シーケンスを読み込む。音声ＩＰ化装置１１１ａは、この動作シーケンスに沿った内容の放送制御データを作成する。そして、音声ＩＰ化装置１１１ａは、複数の子局２１ａの各々の音声ＩＰ化装置２１１ａに対して、放送制御データを含む放送開始データを送信する（ステップＳ２）。
【００２４】
自局アドレスが制御対象アドレス情報に含まれている場合に、放送開始データを受信した子局２１ａの音声ＩＰ化装置２１１ａは、放送開始データに含まれる放送制御データ（即ち動作シーケンス情報）に従って動作する。まず、制御対象の子局２１ａの音声ＩＰ化装置２１１ａは、放送制御データの放送開始停止情報を参照する。放送開始停止情報が放送開始を示す場合、音声ＩＰ化装置２１１ａは、音源選択情報を参照する。音源選択情報が親局１１ａを示す場合、音声ＩＰ化装置２１１ａは、親局１１ａの逐次放送データの待ち受け状態となる。一方、音源選択情報が子局２１ａ（即ち自局）を示す場合、音声ＩＰ化装置２１１ａは、メモリ指定情報を参照し、自局の音声メモリ２１１３上の指定された音声データを再生し、その音声信号を出力する。なお、いずれの場合も、後続動作は、後述するステップＳ４から開始される。
【００２５】
次に、親局１１ａの音声ＩＰ化装置１１１ａは、子局２１ａによる放送開始を見込んで、操作器１１３にメモリ再生開始の信号を返す（ステップＳ３）。操作器１１３は、この信号を受けると、操作器１１３等に付属するＬＥＤ表示や、ブザー音発生器などによって、システム管理者に対してメモリ再生中であることを報知する。なお、この報知は、メモリ再生中を示すメッセージを表示部（図示は省略）に表示することによって実現されてもよい。
【００２６】
次に、子局２１ａの音声ＩＰ化装置２１１ａは、音源選択情報が親局１１ａを示していた場合、メモリ再生完了の通知データを親局１１ａの音声ＩＰ化装置１１１ａに送信する（ステップＳ４）。そして、音声ＩＰ化装置２１１ａは、親局１１ａの逐次放送データの待ち受け状態となる。一方、音源選択情報が子局２１ａ（即ち自局）を示していた場合は、音声ＩＰ化装置２１１ａは、自局の音声メモリ上の指定された音声データの再生完了後に、メモリ再生完了を示すデータを親局１１ａの音声ＩＰ化装置１１１ａに送信する。
【００２７】
次に、親局１１ａの音声ＩＰ化装置１１１ａは、放送開始を行った全ての子局２１ａから、メモリ再生完了データを受信すると、操作器１１３にメモリ再生完了を示す信号を送出する（ステップＳ５）。操作器１１３は、この信号を受けると、システム管理者に対するメモリ再生中の通知を停止すると共に、外部入力が可能であることを示すメッセージを表示部に表示する。
【００２８】
次に、親局１１ａの音声ＩＰ化装置１１１ａは、音声データが音声入力端子１１２から入力された場合、通信ネットワーク逐次放送を行う。この通信ネットワーク逐次放送は、音声入力端子１１２から入力された音声データを逐次ＩＰ化し、子局２１ａに対してマルチキャストやブロードキャストすることによって行われても良い。また、この通信ネットワーク逐次放送は、自局の音声メモリ１１１２に保持されている音声データを読み込みながら、この音声データを逐次ＩＰ化し、子局２１ａに対してマルチキャストやブロードキャストすることによって行われても良い。子局２１ａの音声ＩＰ化装置２１１ａは、親局１１ａの音声ＩＰ化装置１１１ａからの逐次放送音声データを受信しながら、音声出力端子２１２に接続された拡声音声出力部などから音声出力する。
【００２９】
外部入力が完了すると、操作器１１３は、親局１１ａの音声ＩＰ化装置１１１ａに対して、外部入力完了を示す信号を送出する（ステップＳ７）。具体的には、親局１１ａが、操作器１１３から、例えば、マイクロホン・スイッチのオフ操作のような外部入力の完了操作を示す逐次制御信号を受け取る。また、図示は省略しているが、操作器１１３からの強制放送終了操作が行われた場合に、全ての子局２１ａの音声ＩＰ化装置２１１ａに対して、放送強制終了データが送信されても良い。この放送強制終了データには、放送終了処理を行う子局２１ａの音声ＩＰ化装置２１１ａのＩＰアドレス情報が含まれ、この放送強制終了データを受信した子局２１ａの音声ＩＰ化装置２１１ａは、音声出力を停止し、親局１１ａからの放送制御データ待ちとなる。
【００３０】
次に、親局１１ａの音声ＩＰ化装置１１１ａは、外部入力完了（即ち逐次放送完了）を各子局２１ａに伝えるために、逐次放送完了を示すデータを複数の子局２１ａの各々の音声ＩＰ化装置２１１ａに送信する（ステップＳ８）。なお、親局１１ａの音声ＩＰ化装置１１１ａは、自局が音声入力端子１１２から入力された音声データを逐次放送する場合、子局２１ａには、操作器１１３から受け取った前記の逐次制御信号に対応する逐次放送完了の通知データを送信する。子局２１ａの音声ＩＰ化装置２１１ａは、逐次放送完了の通知データを受信すると、親局１１ａの逐次放送受信を停止し、放送制御データに示される次動作を開始する。次動作が存在しなければ、音声ＩＰ化装置２１１ａは、操作器１１３に対して放送完了を通知する。一方、次動作シーケンスが存在すれば、子局２１ａの音声ＩＰ化装置２１１ａは、当該動作シーケンスの放送開始停止情報を参照する。この値が放送開始の場合は、音声ＩＰ化装置２１１ａは、音源選択情報を参照する。音源選択情報が親局１１ａを示す場合、音声ＩＰ化装置２１１ａは、親局１１ａの逐次放送データの待ち受け状態となる。一方、音声ＩＰ化装置２１１ａは、音源選択情報が子局２１ａ（即ち自局）を示す場合、メモリ指定情報を参照する。そして、音声ＩＰ化装置２１１ａは、自局の音声メモリ２１１３上の指定された音声データを再生して、その音声信号を出力する。
【００３１】
次に、親局１１ａの音声ＩＰ化装置１１１ａは、子局２１ａによる放送開始を見込んで、操作器１１３にメモリ再生開始を示す信号を返す（ステップＳ９）。操作器１１３は、メモリ再生中を示すメッセージを前記表示部に表示する。
【００３２】
子局２１ａの音声ＩＰ化装置２１１ａは、自局のメモリ再生出力を行った場合、メモリ再生出力完了時に、メモリ再生完了データを親局１１ａの音声ＩＰ化装置１１１ａに送信する（ステップＳ１０）。そして、音声ＩＰ化装置２１１ａは、放送制御データに示される次動作を開始する。次動作が存在しなければ、音声ＩＰ化装置２１１ａは、親局１１ａからの次の放送制御データ待ちとなる。
【００３３】
次に、親局１１ａの音声ＩＰ化装置１１１ａは、放送終了を示す信号を操作器１１３に送出する（ステップＳ１１）。操作器１１３は、この信号を受けると、放送終了を示す表示を表示部に表示する。
【００３４】
従来の、親局の音声ＩＰ化装置が主放送音声データと予備放送音声データとを全て保持する方式の場合、子局毎に予備放送音声データが異なる一斉放送については、親局１１ａの音声ＩＰ化装置は、子局と同じ数の異なる音声データを同時に通信ネットワークに出力していた。そのため、従来技術では、通信ネットワークの負荷が大きくなると共に、通信ネットワーク逐次放送に要する中央処理部の負荷も大きくなる。このような問題に対し、第一実施形態によれば、子局毎に予備放送音声データを予め記憶しているため、予備放送音声データそのものを、通信ネットワークに出力する必要が無い。従って、通信ネットワークの負荷を軽減することが可能となる。さらには、中央処理部の負荷も軽減することが可能となる。
【００３５】
また、第一実施形態によれば、放送開始から放送終了まで、主放送音声データと、子局２１ａの音声メモリ２１１３に予め保持された子局毎に異なる予備放送音声データとを交互に織り交ぜたパターンで一斉に放送を行うことが可能となる。また、主放送音声データは、親局１１ａの音声ＩＰ化装置１１１ａの音声メモリ１１１２にて統括管理するため、音声データの保守管理が容易となる。通常、放送内容の変更は、予備放送音声よりも主放送音声の方にされることが多いので、親局１１ａの有する主放送音声データの変更のみで変更操作が済む場合が多いと言える。また、親局１１ａに接続する拡声音声出力部をマイクロホン等にすれば、マイクロホン拡声放送を行うことが可能となる。
【００３６】
〔第二実施形態〕
上述した音声データ伝送システム１ａでは、音声入力を行う者は、子局２１ａのメモリ再生完了まで、親局１１ａへの音声入力を待たなければならなかった。そこで、第二実施形態に係る音声データ伝送システム１ｂでは、このような課題を解消する。
【００３７】
図５は、第二実施形態に係る音声データ伝送システム１ｂの、親局１１ｂの音声ＩＰ化装置１１１ｂの構成を示す構成図である。本発明の第二実施形態に係る音声データ伝送システム１ｂの全体構成は、本発明の第一実施形態に係る音声データ伝送システム１ａの全体構成と同じである。ただし、中央処理部１１１４ｂにおける動作は、１１１４ａとは異なる。また、音声メモリ１１１２ｂの記憶内容は、音声メモリ１１１２と異なる。具体的には、音声メモリ１１１２ｂは、予め記憶している主放送音声の音声データの他に、音声入力端子１１２から入力された音声データを一時的に記憶する。
【００３８】
音声データ伝送システム１ｂでは、音声ＩＰ化装置１１１ｂの外部の音声入力部から入力される音声データが主放送音声である場合、中央処理部１１１４ｂは、入力された音声データを、一時的に音声メモリ１１１２ｂに記憶させる。そして、中央処理部１１１４ｂは、子局２１ａからメモリ再生完了の信号を受信すると、音声メモリ１１１２ｂから音声データを読み出し、通信ネットワーク１０に出力する。
【００３９】
この場合、操作器１１３は、メモリ再生中の通知（ＬＥＤ表示や、ブザー音発生器などによる通知）若しくはメモリ再生中のメッセージ表示に加えて、親局１１ｂに入力された音声データの一時記憶データ分を逐次放送する間、親局入力音声再生中を示す表示を行っても良い。
【００４０】
図６は、第二実施形態に係る音声データ伝送システム１ｂの動作シーケンスを示すシーケンスチャート図である。図６では、図４の動作シーケンスに、ステップＳ２１とステップＳ２２が加わる。また、図６では、ステップＳ７において外部入力の完了が操作器１１３から通知された後、親局１１ｂが特に動作を行わない。以下、図４と同じ処理については説明を省き、ステップＳ２１とステップＳ２２における動作についてのみ説明する。
【００４１】
ステップＳ２１では、親局１１ｂの音声ＩＰ化装置１１１ｂは、親局１１ｂの放送を開始することを通知するための親局放送開始の信号を、操作器１１３に送出する。操作器１１３は、この信号を受信すると、親局入力音声再生中を示すメッセージまたはシグナルを表示する。
【００４２】
ステップＳ２２では、親局１１ｂの音声ＩＰ化装置１１１ｂは、親局１１ｂの放送が完了したことを通知するための親局放送完了の信号を操作器１１３に送出する。
第二実施形態によれば、音声ＩＰ化装置１１１ｂの中央処理部１１１４ｂは、入力された音声データを、一時的に音声メモリ１１１２ｂに記憶させる。そして、中央処理部１１１４ｂは、子局２１ａにおいてメモリ再生が完了すると、記憶されていた音声データを読み出し、この子局２１ａに対して送信する。そのため、音声入力を行う者は、子局２１ａにおける音声メモリ２１１３の再生完了を待つことなく、放送開始操作の直後に親局１１ｂへの音声入力を開始できる。
【００４３】
〔第三実施形態〕
各子局において、予備放送の長さが異なる場合がある。このような場合、上述した第二実施形態に係る音声データ伝送システム１ｂでは、ある子局２１ａにおける予備放送の再生が完了してから、他の子局２１ａの予備放送の再生が完了するまでの間、予備放送の再生が完了した子局における主放送の再生が途切れてしまっていた。そこで、第三実施形態に係る音声データ伝送システム１ｃでは、このような課題を解消する。
【００４４】
図７は、第三実施形態に係る音声データ伝送システム１ｃの全体構成を示す構成図である。第三実施形態に係る音声データ伝送システム１ｃの全体構成は、本発明の第一実施形態に係る音声データ伝送システム１ａの全体構成と同じである。ただし、中央処理部２１１２ｃにおける動作は、中央処理部２１１２とは異なる。また、音声メモリ２１１３ｃは、予め保持された予備放送音声の音声データの他に、親局１１ｃからの逐次放送データも保持する。音声メモリ２１１３ｃは、メモリ再生の実行と並行して、親局１１ｃからの逐次放送データを受信して一時的に記憶する。
【００４５】
本発明の第三実施形態に係る音声データ伝送システムでは、親局１１ｃの中央処理部１１１４は、音声ＩＰ化装置１１１ｃに入力された音声データを、音声メモリ１１１２に一時記憶させずに、子局２１ｃに逐次放送する。一方、放送制御データの動作シーケンスが「メモリ再生後に親局逐次放送」となっている場合、子局２１ｃの中央処理部２１１２ｃは、自局の音声メモリ２１１３ｃから音声データを読み出し再生を行いながら、親局１１ｃからの逐次放送データを受信して音声メモリ２１１３に一時記憶させる。中央処理部２１１２ｃは、音声メモリ２１１３からの音声データの再生後に、一時記憶させておいた親局放送音声を出力する。
【００４６】
この場合、操作器１１３は、一時記憶した親局放送音声データの出力を完了した場合には、親局１１ｃに「記憶音声再生完了」を示す通知データを送信し、「親局音声の放送中」の表示を行っても良い。
図８は、本発明の第三実施形態に係る音声データ伝送システム１ｃの動作シーケンスを示すシーケンスチャート図である。図８では、図６の動作シーケンスに、ステップＳ３１が加わる。また、図８では、ステップＳ８のタイミングが早まる。以下、図６と同じ処理については説明を省き、ステップＳ３１における動作と、ステップＳ６の後の子局２１ｃの動作について説明する。
【００４７】
ステップＳ３１では、子局２１ｃの音声ＩＰ化装置２１１ｃは、自局の音声メモリ２１１３ｃからの音声データの再生後に、一時記憶した親局放送音声データの出力を完了したタイミングで、親局１１ｃに「記憶音声再生完了」を示す通知データを送信する。
ステップＳ６の後、子局２１ｃの中央処理部２１１２ｃは、音声メモリ２１１３ｃからの音声データの再生動作に加えて、親局１１ｃからの逐次放送データを受信して音声メモリ２１１３に一時記憶させる動作を実行する。
【００４８】
第三実施形態によれば、各子局において、予備放送の長さが異なる場合にも、ある子局２１ｃにおける予備放送の再生が完了してから、他の子局２１ｃの予備放送の再生が完了するまでの間、予備放送の再生が完了した子局における主放送の再生が途切れてしまうことを抑止することが可能となる。従って、予備放送から主放送への移行がスムーズになる。
【００４９】
〔第四実施形態〕
上述した第三実施形態に係る音声データ伝送システム１ｃでは、子局２１ｃの放送状況や放送内容が、親局１１ｃにおいて確認できないという課題が残る。そこで、第四実施形態に係る音声データ伝送システム１ｄでは、このような課題を解消する。
【００５０】
図９は、第四実施形態に係る音声データ伝送システム１ｄの全体構成を示す構成図である。第四実施形態に係る音声データ伝送システム１ｄでは、親局１１ｄは、デコーダ１４１２、該デコーダ１４１２に接続された音声出力端子１４４を備える。また、子局２１ｄは、エンコーダ２４１２、該エンコーダ２４１２に接続された音声入力端子２４１３を備える。これに伴い、中央処理部１４１３は、中央処理部１１１４と異なる処理を行う。また、中央処理部２４１１は、中央処理部２１１２と異なる処理を行う。
【００５１】
そこで、本発明の第四実施形態に係る音声データ伝送システム１ｄでは、親局１１ｄの音声ＩＰ化装置１１１ｄの音声メモリ部１１１２ｄには、頻繁に使用する主放送音声の音声データを数種類保持する。また、子局２１ｄの音声ＩＰ化装置２１１ｄの音声メモリ部２１１３ｄには、頻繁に使用する予備放送音声の音声データを数パターン保持する。また、子局２１ｄの音声メモリ部２１１３ｄには、音声入力端子２４１３から入力される音声入力信号がエンコーダ２４１２によってデータ化されたモニタ音声データを一時的に記憶する。
【００５２】
このモニタ音声データは、一旦、子局２１ｄの音声メモリ部２１１３ｄに記録される。そして、親局１１ｄの音声ＩＰ化装置１１１ｄがモニタ開始データを子局２１ｄに送信すると、モニタ音声データは、子局２１ｄによって、親局１１ｄに送信され、親局１１ｄにおいて再生される。この再生は、音声出力端子１４４に接続されたモニタ音声出力装置からモニタ音声として出力されることによって行われる。なお、モニタ開始データには、放送開始を行う子局２１ｄの音声ＩＰ化装置２１１ｄのＩＰアドレス情報、及びモニタ再生開始命令が含まれている。
【００５３】
図１０は、第四実施形態に係る音声データ伝送システム１ｄの動作シーケンスを示すシーケンスチャート図である。図１０に示す動作シーケンスは、図８の動作シーケンスに、子局２１ｄの放送状況や放送内容を親局１１ｄ側でモニタするための処理として、ステップＳ４１〜ステップＳ４５の動作が追加されたものである。以下、ステップＳＳ４１〜ステップＳ４５の動作について説明し、図８と同じ動作の処理については説明を省く。
【００５４】
ステップＳ４１では、操作器１１３が、モニタの開始を通知する「モニタ開始」の信号を、親局１１ｄに送出する。また、操作器１１３は、表示装置に、子局２１ｄの放送をモニタ中であることを示す「モニタ中」のメッセージまたはシグナルを表示する。
【００５５】
ステップＳ４２では、この「モニタ開始」の信号を受けた親局１１ｄの音声ＩＰ化装置１１１ｄが、モニタ再生開始命令を含む「モニタ開始データ」を子局２１ｄの音声ＩＰ化装置２１１ｄに送信する。子局２１ｄの音声ＩＰ化装置２１１ｄは、音声ＩＰ化装置２１１ｄの音声メモリ部２１１３ｄに一時記憶していたモニタ音声データの再生とＩＰ規定のコードへのコード化を行う。
【００５６】
ステップＳ４３では、子局２１ｄの音声ＩＰ化装置２１１ｄが、モニタ音声データの配信開始を示す「モニタ音声逐次放送配信」のデータを親局１１ｄに送信する。その後、音声ＩＰ化装置２１１ｄは、ＩＰ規定のコードに変換されたモニタ音声データを、通信ネットワーク逐次放送により親局１１ｄに送信する。
【００５７】
ステップＳ４４では、子局２１ｄの音声ＩＰ化装置２１１ｄが、音声メモリ部２１１３ｄのモニタ音声データの再生完了のタイミングで、モニタ音声データの配信完了を示す「モニタ音声逐次放送完了」のデータを親局１１ｄに送信する。
【００５８】
ステップＳ４５では、この「モニタ音声逐次放送完了」のデータを受けた親局１１ｄの音声ＩＰ化装置１１１ｄが、「モニタ終了」の信号を操作器１１３に送出する。これにより、操作器１１３は、前述の「モニタ中」のメッセージまたはシグナルの表示を取り止める。
【００５９】
図１１及び図１２は、本発明の第四実施形態に係る音声データ伝送システム１ｄの各処理動作の時間的推移を示すタイムチャート図である。図１１は、図１０におけるＳ１〜Ｓ１１の処理動作の時間的推移を示し、図１２は、図１０におけるＳ４１〜Ｓ４５の処理動作の時間的推移を示す。図１１及び図１２に示す例では、Ａ地区、Ｂ地区、Ｃ地区に配置された３箇所の子局のうち、Ａ地区、Ｂ地区に配置された子局のみがマイクロホンによる放送を行い、放送終了後にＡ地区Ａに配置された子局のモニタを行う場合を示している。
【００６０】
図１３は、本発明の第四実施形態に係る音声データ伝送システムの１実施例としての放送内容を示す説明図である。図１３に示す例では、Ａ地区、Ｂ地区、Ｃ地区に配置された３箇所の子局単位、即ち地区毎の放送内容が示される。この場合、各地区に適した放送内容が選択できているので、エリア毎の雰囲気作りに適した放送ができる。また、放送内容が既に自明なエリアや、拡声放送が催事の妨げとなるエリアでは、放送を行わないようにすることができる。また、そのエリアに必要な情報しか放送しないということで、放送内容の重要性の認識度を高めることができる。
【００６１】
本実施の形態によれば、モニタ音声データは、子局２１ｄの音声ＩＰ化装置２１１ｄに備えられた音声メモリ２１１３ｄに一旦記憶され、親局１１ｄの音声ＩＰ化装置１１１ｄからのモニタ音声再生開始データに含まれるモニタ再生開始命令を子局２１ｄが受信される。このような動作により、親局１１ｄ側で、複数の子局２１ｄの各々の放送状況や放送内容を１局ずつモニタ聴取することができる。そのため、本実施形態に係るシステムは、子局の放送状況が確認できる面で保守管理性に優れる。さらに、親局１１ｄの音声ＩＰ化装置１１１ｄと、子局２１ｄの音声ＩＰ化装置２１１ｄ音とのハードウェア構成を同じにできるため、製造コストを低減すると共に、保守性に優れている。
【００６２】
なお、上述した各実施形態における音声ＩＰ化装置１１１，２１１の一部又は全部の機能をコンピュータで実現するようにしても良い。その場合、この機能を実現するためのプログラムをコンピュータ読み取り可能な記録媒体に記録して、この記録媒体に記録されたプログラムをコンピュータシステムに読み込ませ、実行することによって実現しても良い。なお、ここでいう「コンピュータシステム」とは、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時刻の間、動的にプログラムを保持するもの、その場合のサーバやクライアントとなるコンピュータシステム内部の揮発性メモリのように、一定時刻プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
以上、この発明の実施形態について図面を参照して詳述してきたが、具体的な構成はこの実施形態に限られるものではなく、この発明の要旨を逸脱しない範囲の設計等も含まれる。
【図面の簡単な説明】
【００６３】
【図１】本発明の第一実施形態に係る音声データ伝送システムの全体構成を示す構成図である。
【図２】親局の動作シーケンスを定める放送パターンデータの構成例を示す説明図である。
【図３】子局の動作シーケンスを定める放送制御データの構成例を示す説明図である。
【図４】本発明の第一実施形態に係る音声データ伝送システムの動作シーケンスを示すシーケンスチャート図である。
【図５】本発明の第二実施形態に係る音声データ伝送システムの、親局の音声ＩＰ化装置における処理のイメージを示した説明図である。
【図６】本発明の第二実施形態に係る音声データ伝送システムの動作シーケンスを示すシーケンスチャート図である。
【図７】本発明の第三実施形態に係る音声データ伝送システムの、子局の音声ＩＰ化装置における処理のイメージを主体に示した説明図である。
【図８】本発明の第三実施形態に係る音声データ伝送システムの動作シーケンスを示すシーケンスチャート図である。
【図９】本発明の第四実施形態に係る音声データ伝送システムの全体構成を示す構成図である。
【図１０】本発明の第四実施形態に係る音声データ伝送システムの動作シーケンスを示すシーケンスチャート図である。
【図１１】本発明の第四実施形態に係る音声データ伝送システムの実施例としての各処理動作の時間的推移を示すタイムチャート図である。
【図１２】本発明の第四実施形態に係る音声データ伝送システムの実施例としての各処理動作の時間的推移を示すタイムチャート図である。
【図１３】本発明の第四実施形態に係る音声データ伝送システムの実施例としての放送内容を示す説明図である。
【符号の説明】
【００６４】
１０…通信ネットワーク，  １１…親局，  ２１…子局，  １１１，２１１…音声ＩＰ化装置，  １１２，２１２…音声入力端子，  １１３…操作器，  １４４，２１２…音声出力端子，  １１１１，２４１２…エンコーダ，  １１１２，２１１３…音声メモリ，  １１１３…放送パターンメモリ，  １１１４，２１１２…中央処理部，  １１１５，２１１１…ネットワーク変換部，  １４１２，２１１４…デコーダ
【図１】
2009267913.tif 000003
【図２】
2009267913.tif 000004
【図３】
2009267913.tif 000005
【図４】
2009267913.tif 000006
【図５】
2009267913.tif 000007
【図６】
2009267913.tif 000008
【図７】
2009267913.tif 000009
【図８】
2009267913.tif 000010
【図９】
2009267913.tif 000011
【図１０】
2009267913.tif 000012
【図１１】
2009267913.tif 000013
【図１２】
2009267913.tif 000014
【図１３】
2009267913.tif 000015